(57)【要約】【課題】  磁気錠のコ−ド設定を変更する孔からの特殊な器具の差し込み破壊を防止する構成を備えた磁気錠装置の破壊阻止機構を提供すること。【解決手段】  この発明の磁気錠装置の破壊阻止機構は、ハウジングと、ハウジング内にあって磁気的にコ−ド化された磁気キ−により施錠位置から解錠位置へ並進するスライダと、そのスライダに並置されてスライダから錠止磁気ピンをを受け入れるために開口を有するロック板と、そのロック板に並置されてカ−ドキ−を間を通過させるカバ−板とシ−ルドプレ−トとを備えた、カ−ド磁気キ−を使用する磁気錠装置において、スライダコアとシ−ルドプレ−トとを一体に結合した構成として一緒に作動させるので、ハウジングのコ−ド設定変更する穴に工具を差し込んでもシ−ルドプレ−トにより遮断されてスライダに直接にアクセスできず、磁気錠の破壊を阻止できることである。【選択図】    図１
2005213757.tif 000002
【特許請求の範囲】
【請求項１】
ハウジングと、ハウジング内にあって磁気的にコ−ド化されたカ−ド磁気キ−により施錠位置から解錠位置へ並進するスライダと、スライダに並置されてスライダから錠止磁気ピンを受け入れるために開口を有するロック板と、ロック板に並置されてカ−ドキ−を間を通過させるカバ−板とシ−ルドプレ−トとを備えた、カ−ド磁気キ−を使用する磁気錠装置において、スライダとシ−ルドプレ−トとを一体に結合した構成として一緒に作動させることを特徴とする磁気錠装置の破壊阻止機構。
【請求項２】
ハウジングと、ハウジング内にあって磁気的にコ−ド化されたカ−ド磁気キ−により施錠位置から解錠位置へ並進するスライダと、スライダに並置されてスライダから錠止磁気ピンを受け入れるために開口を有するロック板と、ロック板に並置されてカ−ドキ−を間を通過させるカバ−板とシ−ルドプレ−トとを備えた、カ−ド磁気キ−を使用する磁気錠装置において、スライダとシ−ルドプレ−トとを一体に結合した構成として一緒に作動でき、カ−ドキ−がハウジング内のカバ−板とシ−ルドプレ−トと間に挿入されると磁気ピンがスライダコアの開口内に戻って解放状態となり、スライダコアがシ−ルドプレ−トと一緒に下降され、その下降位置でカ−ドキ−，ハウジング，シ−ルドプレ−トにもうけられた設定変更用穴が一直線になり、設定変更工具を挿入され得て、正確なカ−ドキ−が挿入されない場合にはカ−ドキ−，ハウジング，シ−ルドプレ−トにもうけられた設定変更用孔が一直線にならず、工具を挿入することはできないことを特徴とする磁気錠装置の破壊阻止機構。
【請求項３】
シ−ルドプレ−トが焼き入れした鉄により形成されていることを特徴とする請求項１或いは請求項２に記載の磁気錠装置の破壊阻止機構。
【発明の詳細な説明】
【技術分野】
【０００１】
この発明は、磁気錠装置、特に賃貸マンション、アパ−ト、ホテルや事務所などのドアの錠として使用するのに適していてカ−ド磁気キ−などのキ−を使用する磁気錠装置に関する。
【０００２】
この種の磁気錠装置は、特にホテルや賃貸マンションなどの客がカ−ドキ−を複製して使用される恐れがあり、客の使用後に磁気錠装置のコ−ド設定を変更して、盗難防止している（例えば、特許文献１，特許文献２参照）。しかしながら、この磁気錠装置には、磁気錠のコ−ド設定を変更するために設定変更工具を差し込む孔が設けられており、この孔から特殊な器具を差し込み、磁気錠を破壊して、盗難等の事故をまねくことが発生していた。
【特許文献１】特公昭６１−３５３４９号明細書
【特許文献２】特許第２８１６０２５号明細書
【発明の開示】
【発明が解決しようとする課題】
【０００３】
この発明の課題は、磁気錠のコ−ド設定を変更する孔からの特殊な器具の差し込み破壊を防止する構成を備えた磁気錠装置の破壊阻止機構を提供することである。
【課題を解決するための手段】
【０００４】
この発明の課題は、ハウジングと、ハウジング内にあって磁気的にコ−ド化された磁気キ−により施錠位置から解錠位置へ並進するスライダと、そのスライダに並置されてスライダから錠止磁気ピンをを受け入れるために開口を有するロック板と、そのロック板に並置されてカ−ドキ−を間を通過させるカバ−板とシ−ルドプレ−トとを備えた、カ−ド磁気キ−を使用する磁気錠装置において、スライダコアとシ−ルドプレ−トとを一体に結合した構成として一緒に作動させるので、ハウジングのコ−ド設定変更する穴に工具を差し込んでもシ−ルドプレ−トにより遮断されてスライダに直接にアクセスできず、磁気錠の破壊を阻止できることによって、解決される。
【０００５】
また、この課題を解決するこの発明の磁気錠装置の破壊阻止機構は、ハウジングと、ハウジング内にあって磁気的にコ−ド化されたカ−ド磁気キ−により施錠位置から解錠位置へ並進するスライダと、スライダに並置されてスライダから錠止磁気ピンをを受け入れるために開口を有するロック板と、そのロック板に並置されてカ−ドキ−を間を通過させるカバ−板とシ−ルドプレ−トとを備えた、カ−ド磁気キ−を使用する磁気錠装置において、スライダコアとシ−ルドプレ−トとを一体に結合した構成として一緒に作動でき、カ−ドキ−がハウジング内のカバ−板とシ−ルドプレ−トと間に挿入されると、磁気ピンがスライダコアの開口内に戻って解放状態となり、スライダコアがシ−ルドプレ−トと一緒に下降され、その下降位置ではカ−ドキ−，ハウジング，シ−ルドプレ−トに設けられた設定変更用孔が一直線になり、設定変更工具を挿入され得て、正確なカ−ドキ−が挿入されない場合にはカ−ドキ−，ハウジング，シ−ルドプレ−トに設けられた設定変更用孔が一直線にならず、工具を挿入することはできないことを特徴とする。
【０００６】
さらに、この課題を解決するこの発明の磁気錠装置の破壊阻止機構では、シ−ルドプレ−トが焼き入れした鉄により形成されていることを特徴とする。
【発明の効果】
【０００７】
この発明によると、スライダコアとシ−ルドプレ−トとを一体に結合した構成として一緒に作動させるので、ハウジングのコ−ド設定変更する穴に工具を差し込んでもシ−ルドプレ−トにより遮断されてスライダに直接にアクセスできず、磁気錠の破壊を阻止できる。この差し込む孔から特殊な器具を差し込み、磁気錠を破壊しての盗難等の事故を防止できる。  
【０００８】
正確なカ−ドキ−が挿入されない限りは、カ−ドキ−，ハウジング，シ−ルドプレ−トにもうけられた設定変更用孔が一直線にならず、工具を挿入することはできない。また、ハウジングの設定変更用穴から特殊器具を挿入しても、シ−ルドプレ−トにより邪魔されて、それ以上の挿入を阻止される。更に、シ−ルドプレ−トが焼き入れした鉄により形成されているから、特殊器具ではシ−ルドプレ−トを突き破ることができない。それ故に、ハウジングの正面からドリルで穴を開けて解錠することは出来ない。
【発明を実施するための最良の形態】
【０００９】
この発明の磁気錠装置の破壊阻止機構は図面に記載された実施形態に基づいて詳細に説明する。図１は磁気錠の分解組み立て斜視図であり、この図の一部Ｂにはシ−ルドプレ−トとスライドコアとの組立て関係を開示し、図２は磁気錠にカ−ドキ−を挿入する前の状態の斜視図と断面図であり、図３は磁気錠にカ−ドキ−を挿入した状態の斜視図と断面図であり、図４は磁気錠にカ−ドキ−を挿入させて解錠状態に到った斜視図と断面図である。
【実施例】
【００１０】
図１は、分解組み立て斜視図であり、スライダコア１は、非磁性体からなり、コア１に整合して横方向に移動できる多数の磁気錠止ピン２を保持している。固定されたロック板３は、磁気シ−ルドプレ−ト５によりカバ−板４の方向にピン２が磁気的に内部で変位される多数の対応した穴を有している。カバ−板４とシ−ルドプレ−ト５は既知の方法で磁気的にコ−ド化されたカ−ドキ−２０が挿入されるためのスロットの側板を形成している。シ−ルドプレ−ト５はスロット内にカ−ドキ−２０が存在しないときにはカバ−板４に対して板ばね６により押しつけられている。
【００１１】
ハウジング７は各構成要素を収容し、スライダコア１がばね８により上方向に付勢されている。後部ハウジング１０はスライダコア１の一方の側を支持し、ねじ１０Ａによりハウジング７に固定されている。スロット内にカ−ドキ−２０が存在しない場合に、磁気錠止ピン２はシ−ルドプレ−ト５により引き付けられており、ロック板３の対応する穴と整列している錠止ピン２は、ハウジング７及び１０内において、スライダコア１が下方に移動するのを妨げるために部分的に穴の中に入り込んでいる。
【００１２】
正しいコ−ドのキ−がシ−ルドプレ−ト５とカバ−板４との間のスロット内に挿入され、スライダコア１の底部を越えて伸長する底部舌片１１に接触すると、すべての磁気ピンはキ−２０の磁気コ−ドによりはじかれる。従って、錠止ピン２はスライダコア１内に移動してロック板３からはずれ、キ−２０がさらにスロット内に押し込まれるにしたがって、スライダコア１が下方に移動可能とする。このようにして、スライダコア１は施錠位置から解錠位置へ移動することができる。スライダコア１の後部の突起がラッチ機構に係合して移動させて解錠操作を可能とさせる。
この図の一部Ｂにはシ−ルドプレ−ト５とスライドコア１との組立て関係を開示している。
【００１３】
図２は上方には磁気錠ハウジング７にカ−ドキ−２０を挿入する前の状態の磁気錠の斜視図を開示し、下方にはその挿入する前の状態の磁気錠の断面図を開示し、ハウジング７の設定変更用穴７．１とシ−ルドプレ−ト５の設定変更用穴５．１とは一致していなく、ハウジング７の設定変更用穴７．１から工具を差し入れても、シ−ルドプレ−ト５に阻止されて、スライダコア１には到らない。シ−ルドプレ−ト５が焼き入れした鉄により形成されているから、特殊工具ではシ−ルドプレ−トを突き破ることができない。
【００１４】
図３は上方には磁気錠ハウジング７にカ−ドキ−２０を挿入した状態の磁気錠の斜視図を開示し、下方にはその挿入した状態の磁気錠の断面図を開示し、正しいコ−ドのキ−がスライダコア１の舌片１１に接触した状態であるので、すべての磁気ピンはキ−２０の磁気コ−ドによりはじかれる。従って、錠止ピン２はスライダコア１内に移動してロック板３からはずれ、キ−２０がさらにスロット内に押し込まれるにしたがって、スライダコア１が下方に移動できる。この際にスライダコア１はシ−ルドプレ−ト５と一緒に下方に作動される。
【００１５】
図４は上方には磁気錠ハウジング７にカ−ドキ−２０を挿入させて解錠状態に到った斜視図を開示し、下方にはその解錠状態に到った断面図であり、スライダコア１が下方に移動して、解錠状態に到った位置では、ハウジング７の設定変更用穴７．１，カ−ドキ−２０の設定変更用穴２０．１とシ−ルドプレ−ト５の設定変更用穴５．１とは一直線に並び、設定変更工具３０が挿入されて、スライダコア１内の磁気コ−ドを変更する円柱栓１２に作用できる。
【図面の簡単な説明】
【００１６】
【図１】この発明の磁気錠装置の分解組み立て斜視図を示す。
【図２】この発明の磁気錠にカ−ドキ−を挿入する前の状態の斜視図を上方に示し、下方にはその挿入前状態の断面図を示す。
【図３】この発明の磁気錠にカ−ドキ−を挿入した状態の斜視図を上方に示し、下方にはその挿入状態の断面図を示す。
【図４】この発明の磁気錠にカ−ドキ−を挿入させて解錠状態に到った斜視図を上方に示し、下方にはその解錠状態に到ったを断面図を示す。
【符号の説明】
【００１７】
１．．．．．スライダコア
２．．．．．磁気錠止ピン
３．．．．．ロック板
４．．．．．カバ−板
５．．．．．シ−ルドプレ−ト
５．１．．．シ−ルドプレ−トの設定変更用穴
７．．．．．ハウジング
７．１．．．ハウジングの設定変更用穴
８．．．．．ばね
１０．．．．．後部ハウジング
１０Ａ．．．．ねじ    
１１．．．．．底部舌片
１２．．．．．円柱栓  
２０．．．．．カ−ドキ−
２０．１．．．カ−ドキ−の設定変更用穴
３０．．．．．設定変更工具                                                                                                                                                                                                                                                                                                      
【図１】
2005213757.tif 000003
【図２】
2005213757.tif 000004
【図３】
2005213757.tif 000005
【図４】
2005213757.tif 000006